(57)【要約】【課題】ユーザ端末の種類或いはユーザ端末に設けられるアプリケーションの種類に依存せずに、サイト識別情報及びユーザ識別情報を抽出することを可能とする視聴調査システムを提供する。【解決手段】視聴率調査システム１００は、通信路設定サーバ２０と、プロキシサーバ３０と、情報生成サーバ４０とを備える。通信路設定サーバ２０は、携帯端末１０の認証手順において、ユーザ識別情報を抽出する。プロキシサーバ３０は、通信路設定サーバ２０を介して携帯端末１０から受信する情報に基づいて、サイト識別情報を抽出する。通信路設定サーバ２０によって抽出されたユーザ識別情報及びプロキシサーバ３０によって抽出されたサイト識別情報は、情報生成サーバ４０に格納される。【選択図】図１
2013012011.tif 000002
【特許請求の範囲】
【請求項１】
ユーザがユーザ端末を用いてアクセスしようとするウェブサイトを識別するサイト識別情報及び前記ユーザを識別するユーザ識別情報を抽出する視聴調査システムであって、
前記ユーザ端末を認証することによって、前記ユーザ端末との間でセキュアな仮想通信路を設定する通信路設定サーバと、
前記通信路設定サーバからのアクセスのみを許可するプロキシサーバと、
前記サイト識別情報及び前記ユーザ識別情報を対応付ける情報を格納する格納部とを備え、
前記通信路設定サーバは、前記ユーザ端末の認証手順において、前記ユーザ識別情報を抽出し、
前記プロキシサーバは、前記通信路設定サーバを介して前記ユーザ端末から受信する情報に基づいて、前記サイト識別情報を抽出し、
前記通信路設定サーバによって抽出された前記ユーザ識別情報及び前記プロキシサーバによって抽出された前記サイト識別情報は、前記格納部に格納されることを特徴とする視聴調査システム。
【請求項２】
前記ユーザ端末がプロキシ方式に対応していない場合において、
前記プロキシサーバは、前記通信路設定サーバを介して前記ユーザ端末から受信する情報を透過的に中継する透過中継サーバとして機能することを特徴とする請求項１に記載の視聴調査システム。
【請求項３】
前記通信路設定サーバから前記プロキシサーバに送信される情報には、前記ユーザ端末を識別する端末識別情報が付与されており、
前記通信路設定サーバは、前記ユーザ端末の認証手順において、前記端末識別情報とともに前記ユーザ識別情報を抽出し、
前記プロキシサーバは、前記通信路設定サーバを介して前記ユーザ端末から受信する情報に基づいて、前記端末識別情報とともに前記サイト識別情報を抽出し、
前記通信路設定サーバによって抽出された前記ユーザ識別情報及び前記プロキシサーバによって抽出された前記サイト識別情報は、前記端末識別情報に基づいて対応付けられることを特徴とする請求項１に記載の視聴調査システム。
【発明の詳細な説明】
【技術分野】
【０００１】
本発明は、サイト識別情報及びユーザ識別情報を抽出する視聴調査システムに関する。
【背景技術】
【０００２】
従来、ウェブサイトの視聴を検出する様々な技術が提案されている（例えば、特許文献１）。例えば、プロキシサーバがユーザ端末を認証する際に、ユーザがアクセスしようとするウェブサイトを識別するサイト識別情報及びユーザを識別するユーザ識別情報をプロキシサーバが抽出する技術が考えられる。或いは、ユーザ端末がアクセスする単純なプロキシサーバが情報を中継する際に、サイト識別情報及びユーザ識別情報をプロキシサーバが抽出する技術が考えられる。
【先行技術文献】
【特許文献】
【０００３】
【特許文献１】特開２０１１−５３８１２号公報
【発明の概要】
【発明が解決しようとする課題】
【０００４】
しかしながら、近年では、様々なユーザ端末が流通しており、ユーザ端末の種類或いはユーザ端末に設けられるアプリケーションの種類によっては、プロキシ方式がサポートされていないことも考えられる。また、プロキシの設定自体がサポートされていないことも考えられる。
【０００５】
従って、上述した技術では、サイト識別情報及びユーザ識別情報を抽出することができない場合があった。
【０００６】
本発明は、上述した課題を解決するためになされたものであり、ユーザ端末の種類或いはユーザ端末に設けられるアプリケーションの種類に依存せずに、サイト識別情報及びユーザ識別情報を抽出することを可能とする視聴調査システムを提供することを目的とする。
【課題を解決するための手段】
【０００７】
第１の特徴に係る視聴調査システムは、ユーザがユーザ端末を用いてアクセスしようとするウェブサイトを識別するサイト識別情報及び前記ユーザを識別するユーザ識別情報を抽出する。視聴調査システムは、前記ユーザ端末を認証することによって、前記ユーザ端末との間でセキュアな仮想通信路を設定する通信路設定サーバと、前記通信路設定サーバからのアクセスのみを許可するプロキシサーバと、前記サイト識別情報及び前記ユーザ識別情報を対応付ける情報を格納する格納部とを備える。前記通信路設定サーバは、前記ユーザ端末の認証手順において、前記ユーザ識別情報を抽出する。前記プロキシサーバは、前記通信路設定サーバを介して前記ユーザ端末から受信する情報に基づいて、前記サイト識別情報を抽出する。前記通信路設定サーバによって抽出された前記ユーザ識別情報及び前記プロキシサーバによって抽出された前記サイト識別情報は、前記格納部に格納される。
【０００８】
第１の特徴において、前記ユーザ端末がプロキシ方式に対応していない場合において、前記プロキシサーバは、前記通信路設定サーバを介して前記ユーザ端末から受信する情報を透過的に中継する透過中継サーバとして機能する。
【０００９】
第１の特徴において、前記通信路設定サーバから前記プロキシサーバに送信される情報には、前記ユーザ端末を一意に識別する端末識別情報が付与される。前記通信路設定サーバは、前記ユーザ端末の認証手順において、前記端末識別情報とともに前記ユーザ識別情報を抽出する。前記プロキシサーバは、前記通信路設定サーバを介して前記ユーザ端末から受信する情報に基づいて、前記端末識別情報とともに前記サイト識別情報を抽出する。前記通信路設定サーバによって抽出された前記ユーザ識別情報及び前記プロキシサーバによって抽出された前記サイト識別情報は、前記端末識別情報に基づいて対応付けられる。
【発明の効果】
【００１０】
本発明によれば、ユーザ端末の種類或いはユーザ端末に設けられるアプリケーションの種類に依存せずに、サイト識別情報及びユーザ識別情報を抽出することを可能とする視聴調査システムを提供することができる。
【図面の簡単な説明】
【００１１】
【図１】図１は、第１実施形態に係る視聴率調査システム１００を示す図である。
【図２】図２は、第１実施形態に係る情報生成サーバ４０を示す図である。
【図３】図３は、第１実施形態に係る格納部４４に格納される情報を示す図である。
【発明を実施するための形態】
【００１２】
以下において、本発明の実施形態に係る視聴調査システムについて、図面を参照しながら説明する。なお、以下の図面の記載において、同一又は類似の部分には、同一又は類似の符号を付している。
【００１３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１４】
［実施形態の概要］
実施形態に係る視聴調査システムは、ユーザがユーザ端末を用いてアクセスしようとするウェブサイトを識別するサイト識別情報及び前記ユーザを識別するユーザ識別情報を抽出する。視聴調査システムは、前記ユーザ端末を認証することによって、前記ユーザ端末との間でセキュアな仮想通信路を設定する通信路設定サーバと、前記通信路設定サーバからのアクセスのみを許可するプロキシサーバと、前記サイト識別情報及び前記ユーザ識別情報を対応付ける情報を格納する格納部とを備える。前記通信路設定サーバは、前記ユーザ端末の認証手順において、前記ユーザ識別情報を抽出する。前記プロキシサーバは、前記通信路設定サーバを介して前記ユーザ端末から受信する情報に基づいて、前記サイト識別情報を抽出する。前記通信路設定サーバによって抽出された前記ユーザ識別情報及び前記プロキシサーバによって抽出された前記サイト識別情報は、前記格納部に格納される。
【００１５】
実施形態では、ユーザ端末とプロキシサーバとの間に通信路設定サーバが介在しているため、ユーザ端末がプロキシ方式に対応していなくても、サイト識別情報及びユーザ識別情報を抽出することができる。
【００１６】
［第１実施形態］
（視聴調査システム）
以下において、第１実施形態に係る視聴調査システムについて説明する。図１は、第１実施形態に係る視聴率調査システム１００を示す図である。
【００１７】
図１に示すように、視聴率調査システム１００は、携帯端末１０と、通信路設定サーバ２０と、プロキシサーバ３０と、情報生成サーバ４０と、ネットワーク５０とを有する。
【００１８】
携帯端末１０は、ＯＳ（Ｏｐｅｒａｔｉｏｎ  Ｓｙｓｔｅｍ）やＯＳ上で動作する様々なアプリケーションを有するユーザ端末の一例である。携帯端末１０は、無線通信を行う機能を有する。無線通信は、移動体通信網に接続する通信であってもよく、無線ＬＡＮに接続する通信であってもよい。
【００１９】
ここで、携帯端末１０がプロキシサーバ３０に直接的に接続する機能を有していないケースが存在する。すなわち、携帯端末１０がプロキシ方式に対応していないケースが存在する。
【００２０】
第１実施形態では、ユーザが携帯端末１０を用いてウェブサイトにアクセスするケースについて主として説明する。
【００２１】
従って、携帯端末１０は、通信路設定サーバ２０に対して、ユーザがアクセスしようとするウェブサイトを識別するサイト識別情報を送信する。また、携帯端末１０と通信路設定サーバ２０との間でセキュアな通信路が設定されるため、携帯端末１０は、通信路設定サーバ２０に対して、ユーザを識別するユーザ識別情報を送信する。
【００２２】
通信路設定サーバ２０は、携帯端末１０を認証することによって、携帯端末１０と通信路設定サーバ２０との間にセキュアな仮想通信路を設定する。すなわち、通信路設定サーバ２０は、携帯端末１０と通信路設定サーバ２０との間にＶＰＮ（Ｖｅｒｔｕａｌ  Ｐｒｉｖａｔｅ  Ｎｅｔｗｏｒｋ）を設定するＶＰＮサーバである。
【００２３】
ここで、ＶＰＮの設定における携帯端末１０の認証は、携帯端末１０の種類或いは携帯端末１０に設けられるアプリケーションの種類に依存しないことに留意すべきである。すなわち、携帯端末１０の種類或いは携帯端末１０に設けられるアプリケーションの種類とは関係なく、ＶＰＮの設定を行うことが可能である。
【００２４】
詳細には、通信路設定サーバ２０は、携帯端末１０の認証手順において、携帯端末１０を利用するユーザを一意に識別するユーザ識別情報（例えば、予め登録されたユーザＩＤ）を携帯端末１０から取得する。また、通信路設定サーバ２０は、携帯端末１０の認証手順において、ユーザ識別情報に加えて、携帯端末１０を一意に識別する端末識別情報（例えば、ＩＰアドレス）や携帯端末１０が通信を開始する時刻を示す時刻情報などを携帯端末１０から取得する。なお、端末識別情報は、恒久的なグローバルＩＰアドレスであってもよく、動的に割当てられるプライベートＩＰアドレスであってもよい。或いは、端末識別情報は、他の識別情報であってもよい。
【００２５】
第１実施形態において、通信路設定サーバ２０は、携帯端末１０の認証手順において、少なくともユーザ識別情報を抽出する。通信路設定サーバ２０は、携帯端末１０の認証手順において、ユーザ識別情報に加えて、端末識別情報又は時刻情報を抽出してもよい。通信路設定サーバ２０は、抽出された情報を情報生成サーバ４０に送信する。
【００２６】
プロキシサーバ３０は、携帯端末１０から通信路設定サーバ２０を経由して送信される情報をネットワーク５０に中継する。また、プロキシサーバ３０は、通信路設定サーバ２０からのアクセスのみを許可する。
【００２７】
ここで、プロキシサーバ３０は、携帯端末１０がプロキシ方式に対応している場合に、携帯端末１０の代理としてウェブサイトにアクセスするプロキシサーバとして機能する。
【００２８】
一方で、プロキシサーバ３０は、携帯端末１０がプロキシ方式に対応していない場合において、通信路設定サーバ２０を介して携帯端末１０から受信する情報を透過的に中継する透過中継サーバとして機能する。
【００２９】
第１実施形態において、プロキシサーバ３０は、通信路設定サーバ２０を介して携帯端末１０から受信する情報に基づいて、サイト識別情報を抽出する。すなわち、プロキシサーバ３０は、通信路設定サーバ２０を介して携帯端末１０から受信する情報に含まれるサイト識別情報を抽出する。プロキシサーバ３０は、通信路設定サーバ２０を介して携帯端末１０から受信する情報に基づいて、サイト識別情報に加えて、端末識別情報又は時刻情報を抽出してもよい。プロキシサーバ３０は、抽出された情報を情報生成サーバ４０に送信する。
【００３０】
情報生成サーバ４０は、視聴率情報を生成する。具体的には、情報生成サーバ４０は、通信路設定サーバ２０によって抽出されたユーザ識別情報とプロキシサーバ３０によって抽出されたサイト識別情報とを対応付ける視聴率情報を生成する。情報生成サーバ４０の詳細については後述する（図２を参照）。
【００３１】
ネットワーク５０は、様々なウェブサイトに接続されたネットワークである。ネットワーク５０は、例えば、ＩＰ通信網である。
【００３２】
（情報生成サーバ）
以下において、第１実施形態に係る情報生成サーバについて説明する。図２は、第１実施形態に係る情報生成サーバ４０を示す図である。
【００３３】
図２に示すように、情報生成サーバ４０は、第１取得部４１と、第２取得部４２と、マッピング部４３と、格納部４４とを有する。
【００３４】
第１取得部４１は、通信路設定サーバ２０によって抽出された情報を取得する。具体的には、第１取得部４１は、少なくともユーザ識別情報を通信路設定サーバ２０から取得する。また、第１取得部４１は、ユーザ識別情報に加えて、端末識別情報又は時刻情報を通信路設定サーバ２０からしてもよい。
【００３５】
第２取得部４２は、プロキシサーバ３０によって抽出された情報を取得する。具体的には、第２取得部４２は、少なくともサイト識別情報をプロキシサーバ３０から取得する。また、第２取得部４２は、サイト識別情報に加えて、端末識別情報又は時刻情報をプロキシサーバ３０からしてもよい。
【００３６】
マッピング部４３は、第１取得部４１によって取得された情報と第２取得部４２によって取得された情報とを対応付ける。具体的には、マッピング部４３は、ユーザ識別情報とサイト識別情報とを少なくとも対応付ける。
【００３７】
例えば、マッピング部４３は、第１取得部４１及び第２取得部４２によって端末識別情報（例えば、ＩＰアドレス）が取得された場合には、端末識別情報に基づいて、ユーザ識別情報とサイト識別情報とを対応づけてもよい。詳細には、マッピング部４３は、ユーザ識別情報とともに取得された端末識別情報と同一の端末識別情報とともに取得されたサイト識別情報をユーザ識別情報と対応付ける。
【００３８】
或いは、マッピング部４３は、第１取得部４１及び第２取得部４２によって時刻情報が取得された場合には、時刻情報に基づいて、ユーザ識別情報とサイト識別情報とを対応づけてもよい。詳細には、マッピング部４３は、ユーザ識別情報とともに取得された時刻情報と同一の時刻情報とともに取得されたサイト識別情報をユーザ識別情報と対応付ける。
【００３９】
格納部４４は、マッピング部４３によって対応付けられた情報を格納する。具体的には、格納部４４は、図３に示すように、ユーザ識別情報、サイト識別情報及び端末識別情報（例えば、ＩＰアドレス）を対応付ける情報を格納する。格納部４４は、図３に示す情報に加えて、時刻情報を格納していてもよい。
【００４０】
（作用及び効果）
第１実施形態では、携帯端末１０とプロキシサーバ３０との間に通信路設定サーバ２０が介在しているため、携帯端末１０がプロキシ方式に対応していなくても、サイト識別情報及びユーザ識別情報を抽出することができる。
【００４１】
第１実施形態では、プロキシサーバ３０が通信路設定サーバ２０からのアクセスのみを許可するため、セキュリティが保たれる。
【００４２】
第１実施形態では、通信路設定サーバ２０が携帯端末１０の認証を行うため、携帯端末１０が行う無線通信の種別を問わずに、サイト識別情報及びユーザ識別情報を抽出することができる。
【００４３】
第１実施形態では、携帯端末１０とプロキシサーバ３０との間に通信路設定サーバ２０が介在するに過ぎないため、新たなソフトウェアを携帯端末１０にインストールする必要がない。
【００４４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００４５】
実施形態では、情報生成サーバ４０は、端末識別情報或いは時刻情報に基づいて、サイト識別情報及びユーザ識別情報を対応付けるケースを例示した。しかしながら、実施形態は、これに限定されるものではない。具体的には、情報生成サーバ４０は、ユーザ識別情報が抽出されてから所定時間以内に抽出されたサイト識別情報をユーザ識別情報と対応付けてもよい。言い換えると、情報生成サーバ４０は、ユーザ識別情報が取得されてから所定時間以内に取得されたサイト識別情報をユーザ識別情報と対応付けてもよい。
【００４６】
実施形態では、ユーザ識別情報は、携帯端末１０を利用するユーザを一意に識別する情報である。しかしながら、実施形態は、これに限定されるものではない。ユーザ識別情報は、携帯端末１０を一意に識別することができればよい。例えば、携帯端末１０を利用するユーザが一人であるようなケースでは、ユーザ識別情報は、携帯端末１０を一意に識別することができればよい。
【符号の説明】
【００４７】
１０…携帯端末、２０…通信路設定サーバ、３０…プロキシサーバ、４０…情報生成サーバ、４１…第１取得部、４２…第２取得部、４３…マッピング部、４４…格納部、５０…ネットワーク、１００…視聴調査システム
【図１】
2013012011.tif 000003
【図２】
2013012011.tif 000004
【図３】
2013012011.tif 000005